(57)【要約】【課題】マガジンからの印画紙の幅方向でのセンター位置と基準位置との間に誤差がある場合でも、印画紙の幅方向での適正な位置に画像を形成する画像形成装置を構成する。【解決手段】マガジンＭにペーパー偏差Ｇｐが記録される情報記録部５０を備え、この情報記録部５０からペーパー偏差Ｇｐを取得して露光制御手段８４に与える画像位置補正手段８５を備え、露光制御手段８４は、ペーパー偏差Ｇｐに基づいて印画紙Ｐの幅方向でのセンター位置に、画像データの露光を行う。【選択図】図８
2010039128.tif 000002
【特許請求の範囲】
【請求項１】
マガジンに収容されている長尺の記録紙を設定寸法に切断して送る供給搬送ユニットと、この供給搬送ユニットから送られた記録紙に画像を形成する画像形成ユニットとを備えると共に、この画像形成ユニットを制御することにより記録紙の設定位置に画像を形成する制御ユニットを備えている画像形成装置であって、
マガジンの基準位置と、そのマガジンに収容されている記録紙の幅方向での設定位置との位置関係を偏位情報として記録する情報記録部がマガジンに備えられ、この情報記録部から偏位情報を取得する情報取得部が該画像形成装置に備えられ、前記制御ユニットは、前記情報取得部で取得した偏位情報に基づいて記録紙の幅方向での画像の形成位置を補正する画像位置補正手段を備えている画像形成装置。
【請求項２】
前記情報記録部が、前記偏位情報を記録する記録モジュールと、この記録モジュールに記録されている偏位情報を電磁波によって出力する情報出力モジュールとを備え、前記情報取得部が、電磁波を受信する情報受信モジュールと、この情報受信モジュールで受信した電磁波から偏位情報を取得する情報制御モジュールとを備えている請求項１記載の画像形成装置。
【請求項３】
前記供給搬送ユニットの搬送経路の幅方向での搬送基準位置と、前記画像形成ユニットで前記記録紙に画像を形成する際の記録紙の幅方向での画像形成基準位置との誤差をレーン偏差として記録するレーン偏差記録部を備え、前記画像位置補正手段は、このレーン偏差記録部に記録されているレーン偏差と、前記偏位情報とに基づいて画像形成位置の補正を行う請求項１又は２記載の画像形成装置。
【請求項４】
前記マガジンが、前記記録紙が巻回される巻芯と、この巻芯に巻回される記録紙の幅方向の位置を規制するディスクと、記録紙を圧着して搬送する圧着ローラとを備えて構成されると共に、巻芯に巻回された記録紙の現実のセンター位置と、マガジンから記録紙を送り出す経路の幅方向でのセンター位置との誤差の実測値が偏位情報として前記情報記録部に記録されている請求項１〜３のいずれか１項に記載の画像形成装置。
【発明の詳細な説明】
【技術分野】
【０００１】
本発明は、マガジンに収容されている長尺の記録紙を設定寸法に切断して送る供給搬送ユニットと、この供給搬送ユニットから送られた記録紙に画像を形成する画像形成ユニットとを備えると共に、この画像形成ユニットを制御することにより記録紙の設定位置に画像を形成する制御ユニットを備えている画像形成装置に関し、詳しくは、画像形成ユニットに送られる記録紙の幅方向での位置のズレに対応して適正な位置に画像を形成する技術に関する。
【背景技術】
【０００２】
上記のように構成された画像形成装置に関連する技術として特許文献１には、複数のマガジンの１つからの印画紙（本発明の記録紙）を搬送手段（本発明の供給搬送ユニット）を介して露光ユニット（本発明の画像形成ユニット）に送り、画像の露光を行う画像形成装置の基本的な構成を備えると共に、複数のマガジンの１つを指定し較正用データの露光を行う構成が示されている。
【０００３】
この特許文献１では、センターラインやフレームライン等の較正用データを印画紙にプリントすることにより、複数のマガジンから印画紙を送られるレーン毎の露光位置のズレを取得しておき、較正用データが印画紙にプリントされた後には、その印画紙からプリント位置の誤差を取得し、較正用画面をディスプレイにおいて誤差に対応した数値を入力することにより、印画紙Ｐの主走査方向での中央位置と、主走査方向での画像データの中央位置とを一致させる露光を実現する制御が行われる。
【０００４】
【特許文献１】特開２００５‐３２１５９６号公報  （段落番号〔００４１〜００５４〕、図１〜図１０）
【発明の開示】
【発明が解決しようとする課題】
【０００５】
印画紙を収容するマガジンを考えると、マガジンは、ロール状の印画紙を巻芯に対して巻回状態で支持し、この記録紙を圧着型のローラによって出し入れを行う構造を備えており、巻芯の軸芯方向での中央位置に記録紙の幅方向での中央位置を一致させる形態で記録紙をケースに収容するのが普通である。また、マガジンはミニラボ等と称せられる画像形成装置の特定の位置にセットされ、この特定の位置と、印画紙を搬送するレーンとの相対的な位置関係も予め設定される。
【０００６】
マガジンにおいて基準となる（理想的な）センターの位置と、そのマガジンから送り出される記録紙の幅方向でのセンター位置とに誤差が生ずることもある。このことから、特許文献１に記載された技術のように、複数のレーンに決まったマガジンをセットした状態で較正を行うことにより、印画紙の幅方向での中央位置に画像データの主走査方向での中央位置を一致させ得る。しかしながら、較正を行ったものと異なるマガジンを使用した場合には誤差が画像形成位置に影響し、適正な位置から外れた位置に画像が形成されるものとなり改善の余地がある。
【０００７】
このような不都合に対して、マガジンから送り出される記録紙の幅方向でのセンター位置と、基準位置との誤差をできるだけ小さくすることで、記録紙のセンター位置と基準とする位置とを精度高く一致させように調整を行うことも考えられるが、この調整を行うにはガイドやローラの位置調節を精度高く行う必要があるため、調整に手間が掛かり過ぎることや構造的な限界から現実的ではない。
【０００８】
本発明の目的は、マガジンと、このマガジンから送り出される記録紙の幅方向での基準位置とに誤差が存在する場合でも、記録紙の幅方向で誤差がない位置に画像を形成することが可能な画像形成装置を合理的に構成する点にある。
【課題を解決するための手段】
【０００９】
本発明の特徴は、マガジンに収容されている長尺の記録紙を設定寸法に切断して送る供給搬送ユニットと、この供給搬送ユニットから送られた記録紙に画像を形成する画像形成ユニットとを備えると共に、この画像形成ユニットを制御することにより記録紙の設定位置に画像を形成する制御ユニットを備えている画像形成装置であって、
マガジンの基準位置と、そのマガジンに収容されている記録紙の幅方向での設定位置との位置関係を偏位情報として記録する情報記録部がマガジンに備えられ、この情報記録部から偏位情報を取得する情報取得部が該画像形成装置に備えられ、前記制御ユニットは、前記情報取得部で取得した偏位情報に基づいて記録紙の幅方向での画像の形成位置を補正する画像位置補正手段を備えている点にある。
【００１０】
この構成によると、マガジンに備えた情報記録部から、そのマガジンに収容されている記録紙の幅方向での設定位置に対する偏位情報が情報取得部で取得され、この偏位情報に基づいて記録紙の幅方向での画像形成位置を画像位置補正手段が補正する。このように画像形成位置が補正されることにより、マガジンの記録紙が供給搬送ユニットで画像形成ユニットに送られた場合には、画像形成ユニットにおいて記録紙に対し補正された位置に画像が形成される。その結果、マガジンと、このマガジンから送り出される記録紙の幅方向での設定位置とに誤差が存在する状況において、複数のマガジンの何れを用いた場合でも、記録紙の幅方向で誤差のない位置に画像を形成することが可能な画像形成装置が構成された。
【００１１】
本発明は、前記情報記録部が、前記偏位情報を記録する記録モジュールと、この記録モジュールに記録されている偏位情報を電磁波によって出力する情報出力モジュールとを備え、前記情報取得部が、電磁波を受信する情報受信モジュールと、この情報受信モジュールで受信した電磁波から偏位情報を取得する情報制御モジュールとを備えても良い。これによると、情報記録部と情報取得部とが非接触状態にある状態で、情報記録部の記録モジュールに記録されている偏位情報を、情報取得部の情報制御モジュールが取得できることになり、例えば、コネクタ類を用いて情報の伝達を行うものと比較すると接触不良などの不都合を解消して信頼性を高めることが可能となる。
【００１２】
本発明は、前記供給搬送ユニットの搬送経路の幅方向での搬送基準位置と、前記画像形成ユニットで前記記録紙に画像を形成する際の記録紙の幅方向での画像形成基準位置との誤差をレーン偏差として記録するレーン偏差記録部を備え、前記画像位置補正手段は、このレーン偏差記録部に記録されているレーン偏差と、前記偏位情報とに基づいて画像形成位置の補正を行っても良い。これによると、レーン偏差記録部に記録されたレーン偏差と、マガジンの情報記録部に記録した偏位情報とに基づいて画像位置補正手段が記録紙に対して幅方向での適正な位置に画像を形成することが可能となる。
【００１３】
本発明は、前記マガジンが、前記記録紙が巻回される巻芯と、この巻芯に巻回される記録紙の幅方向の位置を規制するディスクと、記録紙を圧着して搬送する圧着ローラとを備えて構成されると共に、巻芯に巻回された記録紙の現実のセンター位置と、マガジンから記録紙を送り出す経路の幅方向でのセンター位置との誤差の実測値が偏位情報として前記情報記録部に記録されても良い。これによると、記録紙の幅方向のセンター位置と、マガジンから記録紙が送り出される経路のセンター位置との誤差の実測値を情報取得部が取得し、これに基づいて画像位置補正手段が補正を行える。
【発明を実施するための最良の形態】
【００１４】
以下、本発明の実施形態を図面に基づいて説明する。
〔全体構成〕
図１に示すように、現像済みの写真フィルムＦの画像情報のデジタル信号化を行い、デジタル信号化された画像データの処理を行い、システム全体の基本的な制御を行うオペレート部ＯＰを備えると共に、記録紙としての銀塩印画紙Ｐ（以下、印画紙Ｐと称する）に対して画像データの露光処理と、露光処理後の印画紙Ｐの現像処理とを行い、乾燥処理を行った後に送り出すプリント部ＰＲを備えることにより写真プリントを行う画像形成装置が構成されている。
【００１５】
この画像形成装置はデジタルミニラボとも称せられるものであり、デジタルカメラで撮影に使用されたフラッシュメモリ等のメディアＲに記録された画像データをオペレート部ＯＰで取得し、プリント部ＰＲにおいて印画紙Ｐにプリント処理する。
【００１６】
本発明の画像形成装置は、印画紙Ｐに対して露光によって潜像を形成した後に現像処理により画像を形成するものに限るものではなく、例えば、記録紙にインクを吹き付けて画像を形成するインクジェットプリンタとして構成するものでも良い。この場合、インクを吐出するプリントヘッドが画像形成ユニットに対応する。
【００１７】
〔オペレート部〕
前記オペレート部ＯＰは、デスク状のコンソール部１に対して写真フィルムＦのコマ画像の情報を光電変換によりデジタル信号化して取り込むフィルムスキャナ２と、各種情報を表示するディスプレイ３と、画像処理と各種処理とを実現する汎用コンピュータで成る処理装置４とを配置している。
【００１８】
コンソール部１の上面に情報を入力するキーボード５と、ポインティングデバイスとして機能するマウス６とを備えている。処理装置４にＣＤ−ＲやＭＯやＦＤ等のディスク型や半導体型のメディアＲからの情報を取得するようメディアＲの構造に対応したメディアドライブ７を備え、内部には画像データ等の情報を記録する半導体メモリやハードディスク等（図示せず）を備えている。
【００１９】
前記フィルムスキャナ２は、下部に配置した光源部からの光線をフィルムキャリア８に支持した写真フィルムＦに照射し、この写真フィルムＦからの画像を中間部のズームレンズでＣＣＤ型等の光電変換部に導き、この光電変換部でＲ（赤）、Ｇ（緑）、Ｂ（青）の３原色に色分解した画像データとして取り込むよう構成されている。
【００２０】
前記処理装置４は、ディスプレイ３に表示された情報に従って前記キーボード５やマウス６の操作することにより各種の処理を実現するＧＵＩ（Graphical User Interface）型のインタフェースを具備している。
【００２１】
この処理装置４は、プリント処理のオーダを受けた場合にフィルムスキャナ２で取り込んだ画像データ、あるいは、前記メディアドライブ７を介してメディアＲから取り込んだ画像データを前記半導体メモリやハードディスク（図示せず）に記録する処理を行い、必要な場合には、ディスプレイ３に画像データを表示して補正処理を行い、この後、プリント対象とする画像データと、プリントサイズやプリント枚数等のオーダデータとを前記プリント部ＰＲに伝送することによってプリント部ＰＲでのプリント処理を実現する。
【００２２】
〔プリント部〕
前記プリント部ＰＲは、図１及び図２に示すように、露光ブロックＥｘと、現像ブロックＤｅと、乾燥ブロックＤｒとを筐体１０に収容して成ると共に、処理後の印画紙Ｐを筐体１０の上部から送り出す排出系を備え、このように排出された印画紙Ｐを水平方向に送る搬送ベルト１１を備え、この搬送ベルト１１から送られる印画紙Ｐをオーダ単位で仕分けて集積するよう複数のトレー１２を有したソータ１３を備えている。
【００２３】
〔露光ブロック〕
前記露光ブロックＥｘは、下部に長尺の印画紙Ｐ（記録紙の一例）を収容する３つのマガジンＭを配置しており、前記３つのマガジンＭの何れか１つに収容したロール状の印画紙Ｐをプリントサイズ（設定寸法）に切断して送る供給搬送ユニット２０と、この供給搬送ユニット２０からの印画紙Ｐに画像データの露光を行う露光ユニット３０（画像形成ユニットの一例）と、この露光ユニット３０において露光された印画紙を前記現像ブロックＤｅに送り出す排出搬送ユニット４０とを備えている。
【００２４】
図２に示す如く、前記３つのマガジンＭをマガジンＭａ、Ｍｂ、Ｍｃとした場合、供給搬送ユニット２０は、マガジンＭａ、Ｍｂ、Ｍｃから送り出された印画紙Ｐを案内する３つの供給ガイド２１を備え、この供給ガイド２１からの印画紙Ｐを圧着して搬送する２つのアドバンスローラ２２を備えている。また、供給搬送ユニット２０は、２つのアドバンスローラ２２で上方に送られる印画紙Ｐを案内する２つの縦ガイド２３と、この２つの縦ガイド２３から送られる印画紙Ｐが合流する縦姿勢の主搬送経路において印画紙Ｐをプリントサイズに切断するカッター２４と、印画紙Ｐの裏面側に必要な情報を印字するドットインパクト型の印字ヘッド２５と、印画紙Ｐを挟持して上方に搬送するチャック部２７とを備えている。
【００２５】
前記供給ガイド２１と縦ガイド２３とは、印画紙Ｐの表裏両面側に配置される部材を少なくとも備えている。この供給ガイド２１と縦ガイド２３とは、印画紙Ｐの幅方向の両端をガイドするように断面形状が「コ」字状で、搬送する印画紙Ｐの幅に対応して印画紙Ｐの幅方向での両端位置に配置されたガイド板同士の間隔が調節されるものが望ましい。
【００２６】
画像形成ユニットとしての露光ユニット３０は、チャック部２７から印画紙Ｐが受け渡される圧着型の導入ローラ３１と、圧着状態及び開放状態夫々に切り換え自在な上下の露光搬送ローラ３２と、この露光搬送ローラ３２で上方（副走査方向）に搬送される印画紙Ｐに対して水平方向（主走査方向）の露光ラインＸ（図３、図８を参照）に沿ってレーザビームを照射する露光エンジン３３とを備えている。
【００２７】
図３に示すように、露光エンジン３３は、Ｒ（赤）、Ｇ（緑）、Ｂ（青）の３原色のレーザビームを送り出すレーザ光源３４ｒ、３４ｇ、３４ｂを備え、Ｇ（緑）、Ｂ（青）のレーザ光源３４ｇ、３４ｂの光量を調整する変調素子３５ｇ、３５ｂを備えている。また、この露光エンジン３３は、レーザビームを反射するビームミラー３６と、縦軸芯周りで回転することによりレーザビームを水平方向に走査する形態で反射させるポリゴンミラー３７と、ポリゴンミラー３７で反射されたレーザビームの走査速度を変換するｆθレンズ３８と、タイミングミラー３９で反射したレーザビームを検出するタイミングセンサＴＳとを備えている。更に、露光ユニット３０には、露光ラインＸより搬送方向での上流位置において印画紙Ｐの先端位置を検出する印画紙センサＰＳが備えられている。
【００２８】
このような構成から、露光を行う際には、露光搬送ローラ３２による印画紙Ｐの搬送速度と同期した速度でポリゴンミラー３７を回転させ、露光搬送ローラ３２によって搬送される印画紙Ｐの先端を印画紙センサＰＳが検出し、この検出位置を基準にした露光ラインＸに印画紙Ｐの先端が達したことが判別されると、ポリゴンミラー３７で反射されたレーザビームをタイミングセンサＴＳで検出したタイミングを基準にした露光開始タイミング毎に、画像データの主走査方向での画像データの１ライン分を読み出し、この画像データに対応してレーザビームの光量を制御して走査露光を行う。この１ライン分の画像データを更新し、レーザビームをタイミングセンサＴＳで検出する毎に反復して露光を行うことにより、１コマ分の画像データの潜像が印画紙Ｐに形成される。
【００２９】
排出搬送ユニット４０は、露光搬送ローラ３２で上方に搬送される印画紙Ｐを更に上方に搬送しながら、その搬送方向を水平方向に変換するように圧着状態及び開放状態夫々に切り換え自在な複数の前搬送ローラ４１を備えている。更に、この排出搬送ユニット４０は、前搬送ローラ４１からの印画紙Ｐを圧着して水平方向に搬送する２つのチャッカー４２と、チャッカー４２で搬送された印画紙Ｐを受け取る圧着型の中間ローラ４３と、この中間ローラ４３からの印画紙Ｐを現像ブロックＤｅに送り込むように印画紙Ｐを圧着状態で搬送する複数の後搬送ローラ４４とを備えている。
【００３０】
この排出搬送ユニット４０では、プリント処理される印画紙Ｐのサイズが予め設定されたサイズより小さい場合には、前搬送ローラ４１から送り出される印画紙Ｐを２つのチャッカー４２で交互に受け取り、予め設定された平行姿勢の２つの搬送経路に振り分けて送ることにより、中間ローラ４３に対して並列的に印画紙Ｐを受け渡す制御が行われる。また、プリント処理される印画紙Ｐのサイズが予め設定されたサイズより大きい場合には、前搬送ローラ４１から送り出される印画紙Ｐの幅方向での両端部を２つのチャッカー４２で同時にチャックして、夫々が等しい速度で搬送下流側に移動し中間ローラ４３に受け渡す制御が行われる。
【００３１】
〔現像ブロック・乾燥ブロック〕
前記現像ブロックＤｅは、発色現像槽と漂白定着槽と安定槽とで成る複数の処理槽を一体形成した現像処理ユニット４６を備えると共に、現像処理ユニット４６に印画紙Ｐを供給する多数の現像搬送ローラ４７を備えている。前記乾燥ブロックＤｒは、現像ブロックＤｅから送り出される印画紙Ｐに対してヒータで加熱された空気を供給するブロワ４８を備えている。
【００３２】
同図に示すように、露光ブロックＥｘの内部には、供給搬送ユニット２０によって印画紙Ｐを露光ユニット３０に供給する制御と、露光ユニット３０によって印画紙Ｐに画像データの露光を行う制御と、排出搬送ユニット４０によって露光後の印画紙Ｐを現像ブロックＤｅに送り出す制御とを実現する制御ユニットＣを備えている。
【００３３】
〔制御ユニット〕
制御ユニットＣは、前述した制御の他に、露光ユニット３０において印画紙Ｐに露光を行う際には、印画紙Ｐに露光する画像データについて、印画紙Ｐの幅方向でのセンター（ペーパーセンターＹｐ・幅方向での設定位置の一例）と、露光エンジン３３で印画紙Ｐに対する画像形成位置の主走査方向でのセンター位置（露光センターＹｅ）とを一致させる補正を行う。
【００３４】
この位置補正を実現するため、図４〜図７に示すように、マガジンＭには情報記録部５０を備えている。この情報記録部５０は、マガジンＭを識別するためのマガジンＩＤと、そのマガジンＭの基準位置を基準にして収容している印画紙ＰのペーパーセンターＹｐまでの位置関係を偏位情報とするペーパー偏差Ｇｐ（図８を参照、偏位情報の一例）の実測値と、ペーパー幅情報と、ペーパー種情報とを記録する。露光ブロックＥｘの内壁１５には、セット位置に配置されたマガジンＭの情報記録部からペーパー偏差Ｇｐ（偏位情報）を取得して制御ユニットＣに与える情報取得部５２を備えている。
【００３５】
情報記録部５０は、ＲＦＩＤ（Radio Frequency Identificationの略）で構成されるものであり、マガジンＩＤやペーパー偏差Ｇｐ（偏位情報の一例）等を記録するＥＥＰＲＯＭ等の半導体メモリで成る記録モジュール５０Ａと、この記録モジュール５０Ａを管理する情報管理モジュール５０Ｂと、外部からの要求に対応して記録モジュール５０Ａから情報を送り出す情報出力モジュール５０Ｃと、情報の入出力を行うアンテナ５０Ｄとを備えている。
【００３６】
情報取得部５２は、電波を発信及び受信を行うアンテナ５２Ａと、このアンテナ５２Ａを介して情報記録部５０から情報を受信する情報受信モジュール５２Ｂと、この情報受信モジュール５２Ｂで受信した情報のうちペーパー偏差Ｇｐを制御ユニットＣに送信すると共に、情報記録部５０に対してアンテナ５２Ａを介して要求情報の出力を行う情報制御モジュール５２Ｃとを備えている。
【００３７】
情報記録部５０は、アンテナ５０Ｄに対して情報取得部５２から電磁波を作用させることで、アンテナに発生する電力を電源として情報管理モジュール５０Ｂや情報出力モジュール５０Ｃ等を作動させるものを想定しているが、電源として電池を内蔵する構造のものであっても良い。
【００３８】
特に、本発明では情報記録部５０と情報取得部５２との間で非接点式に情報のアクセスを行うものに限るものではなく、例えば、情報記録部５０に形成した電気接点と、情報取得部５２に形成した電気接点とが接触することで情報のアクセスを行うように構成するものであっても良い。
【００３９】
露光ブロックＥｘには開閉自在にドア１６が備えられ、このドア１６の内部のフレーム６１に対して主レール６２が備えられ、主レール６２に対してスライド移動自在に支持された従動レール６３に対して、マガジンＭを支持する支持フレーム６４が備えられている。支持フレーム６４は平面視で矩形に成形され、マガジンＭが自重で嵌り込むことによりマガジンＭを水平方向で移動不能に支持する。
【００４０】
露光ブロックＥｘの内壁側には、セット位置に達した支持フレーム６４に接当するストッパー６５を備え、主レール６２の外端（ドア１６側の端部）にはセット位置に達した支持フレーム６４に対してストッパー６５の方向に押圧力に作用させるロックアーム６６がロック軸芯Ｌ周りで回転操作自在に備えられている。
【００４１】
内壁１５には、マガジンＭの入力ギヤ７６に咬合する駆動ギヤ１７を備え、この駆動ギヤ１７は、供給搬送ユニット２０での印画紙Ｐの搬送と同期して印画紙Ｐを送り出し、マガジンＭの内部に印画紙Ｐを収容する際に駆動される。
【００４２】
マガジンＭは、開閉自在なケース７０の内部にロール状の印画紙Ｐを支持する巻芯７１と、ケース７０を印画紙Ｐの幅方向に貫通する駆動軸７２と、この駆動軸７２と一体的に回転し印画紙Ｐを圧着して搬送する圧着ローラ７３と、駆動軸７２の回転力を巻芯７１に伝えるようにギヤと歯付きベルトとで成る伝動部７４とを備え、ケース７０の外面には情報記録部５０を備えている。
【００４３】
巻芯７１には、印画紙Ｐの幅方向での両端部の位置を規制するように一対のディスク７５を備えており、一対のディスク７５によって印画紙Ｐの幅方向での位置を規制することにより、マガジンＭのケースに対して印画紙Ｐの幅方向でのセンター位置（中央位置）が維持される。また、駆動軸７２の一方の端部には入力ギヤ７６を備え、駆動軸７２の他方の端部には駆動軸７２を人為的に回転操作するためのノブ７７を備えている。
【００４４】
一対のディスク７５は、巻芯７１の軸芯方向での中央位置を基準にした対称となる位置に設定されるように連係して作動するように構成されている。これにより、マガジンＭに対して幅が異なるロール状の印画紙Ｐをセットする際には一対のディスク７５に挟まれる位置に印画紙Ｐをセットされることになり、マガジンＭの基準位置を基準にした印画紙Ｐの幅方向での中央位置（ペーパーセンターＹｐ・図８を参照）の位置が決まる。
【００４５】
特に、マガジンＭの基準位置は、マガジンＭのケース７０の底部のうち支持フレーム６４に嵌り込み、この支持フレーム６４の内面に接触する面である。しかしながら、本発明におけるマガジンＭの基準位置としては、マガジンＭがセット位置にある状態で、印画紙Ｐの幅方向から筐体側のストッパー等が接当するようにマガジンＭのケース７０の外壁面に形成した接当面であって良く、これと同様に、マガジンＭがセット位置にある状態で、筐体側の突出片が嵌合するようにマガジンＭのケース７０の底面等に位置決めのために形成した凹部であっても良い。
【００４６】
そして、図８示すように、このペーパーセンターＹｐとマガジンセンターＹｍとの誤差を人為的に計測し、ペーパー偏差Ｇｐとして情報記録部５０に記録することで、後述するように、このペーパー偏差Ｇｐに起因する画像位置の変動を阻止した露光を実現できるものにしている。
【００４７】
このペーパー偏差ＧｐはマガジンＭの個体差であるため、マガジン毎に異なる値を取ることもある。具体的に説明すると、マガジンＭを製造した際に、マガジンＭに印画紙Ｐを装填し、マガジンＭのマガジンセンターＹｍと、印画紙ＰのペーパーセンターＹｐとの誤差を実測する。尚、マガジンセンターＹｍとは、マガジンＭから印画紙Ｐが送り出される経路幅Ｗの中央（幅の１／２）の位置である。
【００４８】
この実測に基づいたペーパー偏差Ｇｐは、専用の機器（図示せず）を用いて情報記録部５０の情報記録部３０Ａに記録される。また、ペーパーサイズやペーパー種も専用の機器（図示せず）を用いて情報記録部５０に記録される。
【００４９】
〔制御構成〕
図７に示すように、制御ユニットＣは、供給搬送ユニット２０と、露光ユニット３０と、排出搬送ユニット４０とに対する制御を実現する信号の入出力系が形成されると共に、通信ユニット５５を介してオペレート部ＯＰとの間で情報のアクセスを行う情報処理系を備え、情報取得部５２を介して情報記録部５０からのペーパー偏差Ｇｐを取得する情報取得系を備えている。
【００５０】
ペーパー偏差Ｇｐとは、図８に示す如く、マガジンセンターＹｍ（マガジンＭから印画紙Ｐを送り出す経路幅Ｗの幅方向でのセンター）、印画紙Ｐの幅方向での中央のペーパーセンターＹｐとの誤差に方向としてプラス（＋）又はマイナス（−）を与えたものである。尚、一方に偏位している場合にプラス（＋）の符号が与えられ、他方に偏位している場合にマイナス（−）が与えられる。
【００５１】
制御ユニットＣは、入出力インタフェース８０と、マイクロプロセッサＣＰＵとを備えると共に、プリント対象となる画像データを保存するように半導体メモリで成る画像データ保存部８１と、画像データをプリントする際のオーダデータを保存するように半導体メモリで成るオーダデータ保存部８２とを備えている。
【００５２】
また、制御ユニットＣは、供給搬送ユニット２０と、露光ユニット３０と、排出搬送ユニット４０とに印画紙Ｐを連係させて搬送する搬送制御手段８３と、露光ユニット３０を制御することにより画像データを印画紙Ｐに露光する露光制御手段８４と、この露光制御手段８４での露光時において印画紙Ｐに対する画像データの露光位置の補正を行う画像位置補正手段８５と、情報取得部５２によってマガジンＭの情報記録部５０のペーパー偏差Ｇｐ（偏位情報）を取得するペーパー偏差記録部８６と、露光ユニット３０における露光センターと各マガジンＭａ、Ｍｂ、Ｍｃからの印画紙Ｐを搬送する３種の搬送経路（レーン）の搬送センターとの３種の誤差をレーン偏差Ｇｃとして記録するレーン偏差記録部８７と、露光ユニット３０において印画紙Ｐの搬送方向での露光位置を設定するための露光タイミング情報を記録する露光タイミング情報記録部８８とを備えている。
【００５３】
搬送制御手段８３と、露光制御手段８４と、画像位置補正手段８５とはソフトウエアで構成されるものを想定しているが、これらをソフトウエアとハードウエアとの組み合わせで構成して良く、これらをロジック等のハードウエアのみによって構成しても良い。
【００５４】
また、ペーパー偏差記録部８６と、レーン偏差記録部８７と、露光タイミング情報記録部８８とは半導体メモリで構成されるものを想定しているが、ハードディスクで構成しても良い。
【００５５】
図８に示すように、露光エンジン３３での主走査方向での中央位置を露光センターＹｅ（画像形成基準位置の一例）とすると、この露光センターＹｅと、供給搬送ユニット２０の各レーンの幅方向（印画紙Ｐの幅方向）での中央となるレーンセンターＹｃ（搬送基準位置の一例）との誤差をレーン偏差Ｇｃと称する。また、マガジンＭを図４に示すセット位置にセットした状態で、レーンセンターＹｃと印画紙Ｐの幅方向でペーパーセンターＹｐとの誤差をペーパー偏差Ｇｐと称する。
【００５６】
レーン偏差Ｇｃは、供給搬送ユニット２０の各レーンのレーンセンターＹｃに対して、ペーパーセンターＹｐが高い精度で一致する状態で印画紙Ｐが搬送され、この印画紙Ｐが露光ユニット３０に受け渡された場合に、露光エンジン３３の露光センターＹｅとの誤差として捉えることが可能である。
【００５７】
このレーン偏差Ｇｃは、例えば、印画紙Ｐに対して決まったパターン等の較正用のデータをプリントし、このパターンと印画紙Ｐの幅方向での位置関係から取得するものが想定されている。このレーン偏差Ｇｃは、画像形成装置が製造された時点で取得され、各レーンに対応する識別情報を付してレーン偏差記録部８７に記録される。
【００５８】
この搬送系では、供給搬送ユニット２０のレーンセンターＹｃと、マガジンＭにおいて印画紙Ｐを送り出す経路の幅方向での中央となるマガジンセンターＹｍとが高精度で一致しているものとして説明を進める。また、前述したペーパー偏差Ｇｐと同様に、レーン偏差Ｇｃとは、露光センターＹｅとレーンセンターＹｃとの誤差に方向としてプラス（＋）又はマイナス（−）の符号を与えたものである。
【００５９】
〔制御形態〕
制御ユニットＣでの制御形態の概要を図９のフローチャートに示し、情報の流れを図８に示している。つまり、印画紙Ｐに画像を形成する画像形成処理では、画像データとオーダデータとを取得し、オーダデータのプリントサイズに基づいて、そのオーダに対応したマガジンＭを設定すると共に、そのマガジンＭの情報記録部５０に保存されているペーパー偏差Ｇｐを取得し、そのマガジンＭから印画紙Ｐが搬送される供給搬送ユニット２０のレーンのレーン偏差Ｇｃを取得する（＃０１、＃０２ステップ）。
【００６０】
この処理では、情報記録部５０に保存されているペーパー偏差Ｇｐを情報取得部５２が取得して画像位置補正手段８５に与えると共に、オーダデータ保存部８２のオーダデータに基づいて、印画紙Ｐが搬送されるレーンのレーン偏差Ｇｃをレーン偏差記録部８７が画像位置補正手段８５に与える。
【００６１】
ペーパー偏差Ｇｐを取得するタイミングとしてはプリントを実行する直前を想定しているが、マガジンＭが露光ブロックＥｘにセットされ、露光ブロックＥｘのドア１６が閉じられた後の適当なタイミングであっても良い。この場合、３つのマガジンＭに対応した３つのペーパー偏差Ｇｐがハードディスクや不揮発性メモリ等に記録される。
【００６２】
次に、画像位置補正手段８５が、センターマッチングデータと、レングスマッチングデータとを生成し、露光制御手段８４に与え、更に、このセンターマッチングデータと、レングスマッチングデータとに基づき、露光制御手段８４が印画紙Ｐに対してオーダデータに対応した露光を行う処理が実行される（＃０３、＃０４ステップ）。
【００６３】
この処理では、オーダデータ保存部８２のオーダデータと、画像データ保存部８１に保存されたオーダデータとを露光制御手段８４が取得すると共に、露光制御手段８４が画像位置補正手段８５からセンターマッチングデータとレングスマッチングデータとを取得し、これらのデータに基づいて露光位置のマッチングを行いながら印画紙Ｐに対して画像データの露光が行われる。
【００６４】
センターマッチングデータは、ペーパー偏差Ｇｐと、レーン偏差Ｇｃとを加算した値であり、タイミングセンサＴＳでレーザビームを検出したタイミングを基にして設定される主走査方向での画像データの読み出しタイミングを、このセンターマッチングデータに対応して変更することにより、印画紙Ｐの主走査方向でのセンターと、画像データの主走査方向でのセンターとを一致させる処理を実現する。
【００６５】
特に、ペーパー偏差Ｇｐと、レーン偏差Ｇｃとにはプラス（＋）又はマイナス（−）の符号が与えられているため、ペーパー偏差Ｇｐと、レーン偏差Ｇｃとが同じ方向に偏位している場合には、大きい値のセンターマッチングデータが算出され、ペーパー偏差Ｇｐと、レーン偏差Ｇｃとが逆方向に偏位している場合には夫々が相殺されるため小さい値のセンターマッチングデータが算出される。
【００６６】
レングスマッチングデータは、露光タイミング情報に対応した値であり、印画紙センサＰＳで印画紙Ｐの先端を検出したタイミングを基にして設定される露光開始タイミングを、このレングスマッチングデータに対応して変更することにより、印画紙の副走査方向でのセンターと、画像データの副走査方向でのセンターとを一致させる処理を実現する。
【００６７】
この露光処理は、オーダに設定されている全ての画像データの露光が完了するまで継続して行われる（＃０４、＃０５ステップ）。
【００６８】
〔実施形態の効果〕
このように本発明によると、マガジンＭに対して情報記録部５０を備え、この情報記録部５０に対してペーパー偏差Ｇｐを記録しておくことにより、マガジンＭが露光ブロックＥｘにセットされた場合には、この情報記録部５０からペーパー偏差Ｇｐが自動的に読み出され、印画紙Ｐに画像データが露光される際には画像位置補正手段８５により、印画紙Ｐの幅方向での露光位置が補正される。また、画像位置補正手段８５が露光位置の補正を行う際には、マガジンＭからの印画紙Ｐを搬送するレーンのレーン偏差Ｇｃに基づいて印画紙Ｐの幅方向での露光位置の補正が行われる結果、複数のレーンの何れにマガジンＭをセットしても幅方向で最適な位置に露光を行えるものとなる。
【００６９】
ペーパー偏差Ｇｐは、マガジンＭから供給される印画紙Ｐが設計上の理想とどれだけ幅方向にずれているかを現すものであり、マガジンＭの供給メーカが供給する際、テスト機（基準機）を使って、実際にマガジンＭから印画紙Ｐを搬送した際の結果をマガジンＭの情報記録部５０に対して、このペーパー偏差Ｇｐをデータとして記録する形を取ることができる。そして、レーン偏差Ｇｃにおいても、テスト用マガジン（基準マガジン）を使うことで画像形成装置の供給メーカが、それぞれのレーンに対するレーン偏差Ｇｃを設定した上で、市場に供給することができる。
【００７０】
これにより、例えば、マガジンＭの適正な位置から印画紙Ｐを送り出すように機械的な精度を高める調節を行わずとも、ペーパー偏差ＧｐをマガジンＭの情報記録部５０に記録しておき露光を行う際にはペーパー偏差Ｇｐに基づいてソフトウエアによる処理を行うだけで主走査方向（幅方向）で適正な位置に露光を行えるものとなる。
【００７１】
また、画像位置補正手段８５は、副走査方向での露光位置の補正も行うので、例えば、露光ユニット３０において印画紙センサＰＳと露光位置との関係が設定値に精度高く維持されていない場合でも、露光タイミング情報記録部８８に記録されている露光タイミング情報に基づいてソフトウエアによる処理を行うだけで副走査方向（搬送方向）で適正な位置に露光を行える。
【図面の簡単な説明】
【００７２】
【図１】画像形成装置の構成全体を示す斜視図
【図２】画像形成装置の縦断正面図
【図３】露光エンジンの構成を示す図
【図４】露光ブロックのセット位置に支持されたマガジンを示す縦断側面図
【図５】露光ブロックのセット位置に支持されたマガジンを示す縦断正面図
【図６】引き出された支持フレームに支持されたマガジンを示す縦断側面図
【図７】制御系のブロック回路図
【図８】印画紙の位置と情報の流れとを示す模式図
【図９】画像形成処理のフローチャート
【符号の説明】
【００７３】
２０          供給搬送ユニット
３０          画像形成ユニット（露光ユニット）
５０          情報記録部
５０Ａ        記録モジュール
５０Ｂ        情報出力モジュール
５２          情報取得部
５２Ｂ        情報受信モジュール
５２Ｃ        情報制御モジュール
７１          巻芯
７３          圧着ローラ
７６          ディスク
８７          レーン偏差記録部
８５          画像位置補正手段
Ｃ            制御ユニット
Ｍ            マガジン
Ｐ            記録紙（印画紙）
Ｇｃ          レーン偏差
Ｇｐ          偏位情報（ペーパー偏差）
Ｙｃ          搬送基準位置（レーンセンター）
Ｙｅ          画像形成基準位置（露光センター）
【図１】
2010039128.tif 000003
【図２】
2010039128.tif 000004
【図３】
2010039128.tif 000005
【図４】
2010039128.tif 000006
【図５】
2010039128.tif 000007
【図６】
2010039128.tif 000008
【図７】
2010039128.tif 000009
【図８】
2010039128.tif 000010
【図９】
2010039128.tif 000011